(57)【要約】【課題】トレーを本体側から容易に分離でき、廃棄時に完全に分別できるようにする。【解決手段】本体１の前面にトレー２を取り付けた陳列具において、本体１は、前板１１の両側に後板１２を連設し、その稜部に縦長のスリット１４を設けたものとし、トレー２は、両側後部から抱持片２３を延出し、抱持片２３に縦長のスリット２４を設けたものとし、本体１に中板３と背板４とを付属させ、中板３には、切目を入れて縦折線をヒンジとする引掛片１６を形成し、背板４には、縦方向の切裂帯１９を設ける。前板１１の背面に中板３を重ね、抱持片２３をスリット１４に差し込み、引掛片１６をスリット２４に差し込んで、抱持片２３と引掛片１６を折り重ね、これを押圧するように後板１２を折り曲げて閉じ、両側の後板１２に跨って取り付けた背板４で後板１２を閉じた状態に固定し、切裂帯１９による背板４の切断に伴い、後板１２を開放できるようにする。【選択図】図２
2014004289.tif 000002
【特許請求の範囲】
【請求項１】
本体(1)の前面にトレー(2)を取り付けた陳列具において、本体(1)は、前板(11)の両側に後板(12)を連設し、その稜部に縦長のスリット(14)を設けたものとし、トレー(2)は、両側後部から抱持片(23)を延出し、抱持片(23)に縦長のスリット(24)を設けたものとし、本体(1)に中板(3)と背板(4)とを付属させ、中板(3)には、切目を入れて縦折線をヒンジとする引掛片(16)を形成し、背板(4)には、縦方向の切裂帯(19)を設けておき、前板(11)の背面に中板(3)を重ね、抱持片(23)を前板(11)と後板(12)の稜部のスリット(14)に差し込み、引掛片(16)を抱持片(23)のスリット(24)に差し込んで、抱持片(23)と引掛片(16)を折り重ね、これを押圧するように後板(12)を前板(11)の背面側へ折り曲げて閉じ、両側の後板(12)に跨って取り付けた背板(4)で後板(12)を閉じた状態に固定し、切裂帯(19)による背板(4)の切断に伴い、後板(12)を開放できるようにしたことを特徴とする陳列具。
【発明の詳細な説明】
【技術分野】
【０００１】
この発明は、店頭で商品を吊下状態等で陳列する陳列具に関するものである。
【背景技術】
【０００２】
下記特許文献１には、図９に示すように、紙製の本体５１とトレー５２とを備え、本体５１の前面に、商品を載せるトレー５２を上下に配置した陳列具において、本体５１に設けた差込穴５３にトレー５２の後壁５４から延びる差込片５５を差し込み、本体５１の後面に差込片５５を接着したものが記載されている。
【０００３】
トレー５２の差込片５５には、横断方向の切裂帯５６が設けられ、差込片５５の切裂帯５６より先端側の部分が本体５１に対する接着部とされている。トレー５２の後壁５４には、塑性変形させてフックとなる平板状の引掛具５７が取り付けられている。
【０００４】
このような陳列具は、紐５８で吊り下げて商品を陳列できるだけでなく、切裂帯５６に沿って差込片５５を切断することにより、トレー５２を本体５１から取り外し、引掛具５７を塑性変形させてフックとし、引掛具５７を什器の横桟等に引っ掛けた状態で、商品を陳列することができる。また、廃棄に際して、トレー５２を本体５１から取り外し、嵩張らないようにすることもできる。
【先行技術文献】
【特許文献】
【０００５】
【特許文献１】特開２００６−３４６３４５号公報
【発明の概要】
【発明が解決しようとする課題】
【０００６】
しかしながら、上記のような陳列具では、商品イメージに応じた美粧性を得る等の理由により、トレー５２の材料として、ポリエチレンテレフタレート（ＰＥＴ）等のプラスチック素材を使用すると、本体５１からのトレー５２の取り外しに際し、切裂帯５６による差込片５５の切断が困難となる。
【０００７】
また、差込片５５を切断しても、差込片５５の切裂帯５６より先端側の部分が本体５１に付着した状態で残るため、廃棄に際し、素材の分別を完全に行うことができないという問題がある。
【０００８】
そこで、この発明は、トレーを本体側から容易に分離でき、廃棄時に素材ごとに完全に分別できるようにすることを課題とする。
【課題を解決するための手段】
【０００９】
上記課題を解決するため、この発明は、本体の前面にトレーを取り付けた陳列具において、本体は、前板の両側に後板を連設し、その稜部に縦長のスリットを設けたものとし、トレーは、両側後部から抱持片を延出し、抱持片に縦長のスリットを設けたものとし、本体に中板と背板とを付属させ、中板には、切目を入れて縦折線をヒンジとする引掛片を形成し、背板には、縦方向の切裂帯を設けておき、前板の背面に中板を重ね、抱持片を前板と後板の稜部のスリットに差し込み、引掛片を抱持片のスリットに差し込んで、抱持片と引掛片を折り重ね、これを押圧するように後板を前板の背面側へ折り曲げて閉じ、両側の後板に跨って取り付けた背板で後板を閉じた状態に固定し、切裂帯による背板の切断に伴い、後板を開放できるようにしたのである。
【発明の効果】
【００１０】
この発明に係る陳列具では、中板を含む本体側とトレーとを接着していないため、廃棄に際し、切裂帯を引いて背板を切断し、後板を開いて、引掛片を抱持片のスリットから引き抜き、抱持片を前板と後板の稜部のスリットから引き抜くだけで、本体側からトレーを容易に分離することができる。
【００１１】
そして、廃棄に際し、紙とプラスチック等、異なる素材で形成された本体側とトレーとを完全に分別することができる。
【図面の簡単な説明】
【００１２】
【図１】この発明に係る陳列具の使用時の状態を前方から示す斜視図
【図２】同上の組立過程を後方から示す分解斜視図
【図３】同上の使用時の状態を後方から示す斜視図
【図４】同上の本体のブランクを示す図
【図５】同上の中板と背板のブランクを示す図
【図６】同上のトレーのブランクを示す図
【図７】同上の陳列具の解体過程を後方から示す斜視図
【図８】同上の解体過程を後方から示す分解斜視図
【図９】従来の陳列具の使用時の状態を示す斜視図
【発明を実施するための形態】
【００１３】
以下、この発明の実施形態を添付図面に基づいて説明する。
【００１４】
この陳列具は、図１乃至図３に示すように、縦方向に長い板状の本体１の前面に、３個のトレー２を上下に並べて配置したものとされ、商店の店頭において、本体１の上部に挿通した紐１０で什器の吊下棒から吊り下げ、又は陳列棚等に載置して、トレー２に載せた化粧品等の商品を陳列するものである。
【００１５】
本体１は、板紙を積層した合紙を素材として、図４に示すようなブランクから形成される。このブランクでは、前板１１の両側に２本の罫線に挟まれた稜部を介して後板１２及び巻込板１３が順次連設されている。後板１２の巻込板１３側の上端部及び下端部には、切欠部１２ａ，１２ｂがそれぞれ形成されている。
【００１６】
前板１１と両側の後板１２の稜部には、各段のトレー２の両側に対応して、縦長のスリット１４が３個ずつ設けられ、前板１１の幅方向中間部には、各段のトレー２の底部に対応して、横長のスリット又は下縁の切欠による係止部１５が設けられている。
【００１７】
本体１には、図５に示すような板紙製の中板３及び背板４が付属する。中板３は、前板１１に略対応する大きさとされ、背板４は、それより幅が狭くなっている。
【００１８】
中板３のブランクには、各段のトレー２の両側に対応して切目を入れることにより、縦折線をヒンジとする引掛片１６が上下に３個ずつ並んで向き合うように形成され、下端に連設された下折片１７には、抜穴１８が形成されている。
【００１９】
背板４のブランクには、鉤状の切目が断続する２本の切目線を入れて、縦向きに延びる切裂帯１９が設けられている。背板４の上端部及び下端部には、それぞれ貼着片２０ａ，２０ｂが設けられている。
【００２０】
また、本体１、中板３及び背板４のブランクには、組み立て時に位置決めの目印となる切目や切込が入れられている。
【００２１】
トレー２は、ＰＥＴを素材とする透明のものであり、図６に示すような前側部材５と後側部材６のブランクから形成される。
【００２２】
前側部材５のブランクでは、低い前壁２１の両側に、後方へかけて高くなる側壁２２及び抱持片２３が順次連設され、抱持片２３には、縦長のスリット２４が設けられている。前壁２１及び側壁２２の下端には、底板２５ａ，２５ｂがそれぞれ連設されている。
【００２３】
後側部材６のブランクでは、後壁２６の両側に後折片２７が連設され、後壁２６の下端に底板２５ｃが連設されている。底板２５ｃの基部には、後壁２６を切り込んで係止突起２８が形成されている。
【００２４】
上記のような各部材のブランクから陳列具を組み立てるには、図２に示すように、本体１の前板１１の背面に中板３を重ねる。前板１１と中板３とは、作業性向上のため、貼り合わせてもよいが、後述のように、スリット１４にトレー２の抱持片２３及び後折片２７を差し込むと一体化されるので、貼り合わせなくてもよい。
【００２５】
トレー２は、３個用意し、前側部材５の前壁２１から両側壁２２を後方へ折り曲げると共に、後側部材６の後壁２６から後折片２７を後方へ折り曲げて、抱持片２３の内側に後折片２７を重ね、底板２５ａ，２５ｂ，２５ｃを噛み合わせて底面を閉じる。
【００２６】
そして、抱持片２３と後折片２７とを、前板１１と後板１２の稜部のスリット１４に差し込み、引掛片１６を抱持片２３のスリット２４に差し込んで、抱持片２３、後折片２７及び引掛片１６を内側へ折り曲げて重ね、係止突起２８を係止部１５に係合させて、本体１側にトレー２を取り付け、下折片１７を前板１１の背面側上方へ折り曲げる。
【００２７】
その後、図３に示すように、後板１２を前板１１の背面側へ折り曲げ、巻込板１３を巻き込むように折り曲げて、後板１２と巻込板１３の反発で抱持片２３及び引掛片１６を押さえ込み、下折片１７も押さえ込む。
【００２８】
最後に、背板４を両側の後板１２に跨って重ね、上端の貼着片２０ａを切欠部１２ａを介して中板３に貼り付け、下端の貼着片２０ｂを切欠部１２ｂ及び抜穴１８を介して中板３に貼り付けることにより、背板４で後板１２を閉じた状態に固定すると、中板３を含む本体１側にトレー２を接着することなく、トレー２を取り付けることができる。
【００２９】
一方、店頭での商品の陳列が終了し、陳列具を廃棄する際には、図７に示すように、切裂帯１９を引いて背板４を切断し、図８に示すように、後板１２を開放して、後板１２による抱持片２３及び引掛片１６の押圧を解除する。
【００３０】
これにより、引掛片１６を抱持片２３のスリット２４から引き抜き、抱持片２３を前板１１と後板１２の稜部のスリット１４から引き抜いて、本体１側からトレー２を容易に分離することができ、紙を素材とする本体１、中板３及び背板４とプラスチックを素材とするトレー２とを完全に分別することができる。
【００３１】
なお、上記実施形態では、トレー２を、前側部材５と後側部材６とから成る２ピース構造としているが、トレー２は、１ピース構造とすることもできる。
【００３２】
また、本体１の補強及びトレー２のがたつき防止のため、後板１２に巻込板１３を連設しているが、素材の厚さ等によっては、巻込板１３を省略することもできる。
【００３３】
そのほか、背板４の上下端部を中板３に貼り付けて、後板１２の反発を抑制することとしているが、背板４は、切裂帯１９の両側方を各後板１２に貼り付けてもよい。
【符号の説明】
【００３４】
１  本体
２  トレー
３  中板
４  背板
５  前側部材
６  後側部材
１０  紐
１１  前板
１２  後板
１２ａ，１２ｂ  切欠部
１３  巻込板
１４  スリット
１５  係止部
１６  引掛片
１７  下折片
１８  抜穴
１９  切裂帯
２０ａ，２０ｂ  貼着片
２１  前壁
２２  側壁
２３  抱持片
２４  スリット
２５ａ，２５ｂ，２５ｃ  底板
２６  後壁
２７  後折片
２８  係止突起
【図１】
2014004289.tif 000003
【図２】
2014004289.tif 000004
【図３】
2014004289.tif 000005
【図４】
2014004289.tif 000006
【図５】
2014004289.tif 000007
【図６】
2014004289.tif 000008
【図７】
2014004289.tif 000009
【図８】
2014004289.tif 000010
【図９】
2014004289.tif 000011